(57)【要約】【課題】所定の間隔で円又は楕円等の輪状のブラシ毛を有するブラシを簡易に製造する方法を提供する。【解決手段】輪状のブラシ毛となり得る弾力性ないし保形性のあるブラシ毛繊維をブラシ軸に保持させるにあたり、針金等のブラシの軸部材11に所要の太さの繊維２を所要数巻き付け、この繊維２を巻き付けた軸部材１と所要の太さのブラシ毛繊維巻付け具４とを合わせて、この合わせた軸部材１と巻付け具４に軸部材に巻き付けた繊維２の所要の巻付け回数毎となるようにブラシ毛繊維３を所要回数巻き付け、その後、巻付け具を除いてブラシ毛繊維付き軸部材を作成し、同様にして得たブラシ毛繊維付き軸部材と併せて捻るなどによって、輪状のブラシ毛をブラシ軸に保持させることを特徴とするマスカラ等のブラシの製造方法。【選択図】図３
2007260276.tif 000002
【特許請求の範囲】
【請求項１】
輪状のブラシ毛となり得る弾力性ないし保形性のあるブラシ毛繊維をブラシ軸に保持させるにあたり、針金等のブラシの軸部材に所要の太さの繊維を所要数巻き付け、この繊維を巻き付けた軸部材と所要の太さのブラシ毛繊維巻付け具とを合わせて、この合わせた軸部材と巻付け具に軸部材に巻き付けた繊維の所要の巻付け回数毎となるようにブラシ毛繊維を所要回数巻き付け、その後、巻付け具を除いてブラシ毛繊維付き軸部材を作成し、同様にして得たブラシ毛繊維付き軸部材と併せて捻るなどによって、輪状のブラシ毛をブラシ軸に保持させることを特徴とするマスカラ等のブラシの製造方法。
【請求項２】
軸部材に巻付ける繊維とブラシ毛繊維が同じ繊維であることを特徴とする請求項１に記載のブラシの製造方法。
【請求項３】
軸部材に巻付ける繊維とブラシ毛繊維が異なる繊維であることを特徴とする請求項１に記載のブラシの製造方法。
【請求項４】
長いブラシ毛繊維付き軸部材を二つ折して捻り合わせることを特徴とする請求項１に記載のブラシの製造方法。
【請求項５】
軸部材に巻付けた繊維を接着剤で固定するか又は繊維を加熱融着させることを特徴とする請求項１に記載のブラシの製造方法。
【請求項６】
請求項１ないし５記載の製造方法によって得られるマスカラ等のブラシ。
【発明の詳細な説明】
【技術分野】
【０００１】
本発明は化粧品のマスカラ等のブラシの製造方法に関するものである。
【背景技術】
【０００２】
マスカラブラシは目を保護する役割をする睫にマスカラ墨を塗布することから、少ない塗布回数で良好な結果が得られるものであることが望まれている。そのため、マスカラブラシは、ブラシ毛へのマスカラ墨の付着量が多く、かつ睫へのマスカラ墨の転写が容易で、優しく撫でるような塗布で、手早く、簡単に，綺麗にマスカラ墨を睫に塗布できることが要求されている。
従来のマスカラブラシにおいて、ブラシにマスカラ墨を多く付着させる方法として、ブラシの毛を凹凸に加工したもの（例えば、特許文献１参照。）やマスカラブラシのブラシ軸を特殊な形状としたもの（特許文献２）などが知られている。
【特許文献１】特開２００２−１２９４７７号公報
【特許文献２】特許第３０５８６９４号公報
【発明の開示】
【発明が解決しようとする課題】
【０００３】
従来のマスカラブラシの多くは、ブラシ軸から直線状のブラシ毛が放射状に密に設けられているため、ブラシへのマスカラ墨の付着やブラシから睫毛へのマスカラ墨の転写が不十分になりがちであった。
本発明者は上記課題を解決するために、図８に示すようにブラシ毛ａを円形ないし楕円形等の輪状に作り、このブラシ毛ａの輪状の面がブラシ軸Ｐの長手方向に対して０°から９０°の方向、すなわちブラシ軸Ｐの長手方向と同一方向から直角方向になるようにして、ブラシ毛ａをブラシ軸Ｐに設けたマスカラブラシを先に提案した（特許第３５７４８２８号）。図８（Ａ）は側面図、（Ｂ）はブラシの先端側から見た図（正面図）を示す。
このマスカラブラシによれば、マスカラ墨はブラシ毛の輪状の面に膜状になって保持され、塗布時に保持されたマスカラ墨の膜が睫毛ではじけて容易に転写されるほか、ブラシ毛が輪状であるため当りが柔らかであるなどの効果が得られる。このほか、輪状のブラシ毛とブラシ毛との間に適当な間隔を設けることによって、塗布時に睫毛を梳り、形を整え易いという利点をも有する。
【０００４】
上記の輪状のブラシ毛を有するブラシでは、ブラシ毛の輪の大きさやブラシ毛同士の間隔、更には輪の向きなどを適当なものとすることによって、より有効な効果を得ることができる。しかしながら、従来のブラシの製法のように、単に２本の針金の間にブラシ毛を挟んで捻る方法ではブラシ毛同士の間隔が適性に得られないという問題があった。
本発明は、輪状のブラシ毛を有し、かつ、この輪状のブラシ毛とブラシ毛の間隔を適正に有するマスカラ等のブラシを容易に作ることのできる製法を提供することを目的とするものである。
【課題を解決するための手段】
【０００５】
本発明のマスカラ等のブラシの製造方法は、輪状のブラシ毛となり得る弾力性ないし保形性のあるブラシ毛繊維をブラシ軸に保持させるにあたり、針金等のブラシの軸部材に所要の太さの繊維を所要数巻き付け、この繊維を巻き付けた軸部材と所要の太さのブラシ毛繊維巻付け具とを合わせて、この合わせた軸部材と巻付け具に軸部材に巻き付けた繊維の所要の巻付け回数毎となるようにブラシ毛繊維を所要回数巻き付け、その後、巻付け具を除いてブラシ毛繊維付き軸部材を作成し、同様にして得たブラシ毛繊維付き軸部材と併せて捻るなどによって、輪状のブラシ毛をブラシ軸に保持させることを特徴とする製造方法である。
また本発明は、上記のようにして得られるマスカラ等のブラシに関するものである。
【発明の効果】
【０００６】
マスカラブラシのような小さなブラシでは、軸部材は細いステンレスの針金が使用されているが、このような細い針金では表面に凹凸加工することは困難であるが、本発明では針金に所要の太さの繊維を任意の間隔で所要数巻き付けることで、針金の表面に凹凸を設けたことと同じ効果が得られ、この巻き付け繊維にしたがってブラシ毛繊維を巻き付けることによって、所望の間隔で輪状のブラシ毛を有するブラシが得られる。このように、適正な間隔で輪状のブラシ毛が軸に植設されることによって、適正なマスカラ墨の塗布量や睫毛の成形性が得られる。
【発明を実施するための最良の形態】
【０００７】
本発明における軸部材としては、通常は、ステンレス製の針金が使用されるが、これに限ることなく、鉄、銅等の金属製の針金でもよく、また熱可塑性の硬質樹脂製の棒でも良い。軸部材は、ブラシ毛繊維を巻き付けてそのままブラシ軸とする場合もあるが、通常はブラシ毛繊維を巻き付けた軸部材同士を合わして捻り合せてブラシ軸とすることから、このような加工に適するものが良い。
捻り合せる軸部材は２本である必要は無く、２本以上用いてよい。
【０００８】
軸部材に巻き付ける繊維は、特に限定されないが、好ましくはプラスチック繊維、合成繊維、金属繊維などが良い。軸部材への巻き付けは、軸部材の長さ方向に一様にほぼ均等な幅で巻きつけても良く、また、特定の間隔を設けて巻き付けても良い。繊維の巻き付けは、同時に２本以上の繊維を巻きつけても良く、繊維はナイロンとポリエステルのように異なる材質のものとしても良く、異なる色に着色したものでも良い。同様に、異なる太さの繊維を用いても良い。更に、軸部材の巻付け繊維とブラシ毛繊維とを同じものとし、一つの繊維で軸部材への巻付けと輪状のブラシ毛のための巻付けとを行っても良い。
【０００９】
軸部材への繊維の巻き付けは、単に巻き付けるだけでも良いが、適当な巻き付け幅（間隔）を保持するために接着剤で固定しても良く、熱接着性繊維を加熱接着しても良い。
繊維の接着剤での固定は、接着剤を塗布した繊維を軸部材に巻き付ける方法、繊維を巻き付けた後に接着剤を塗布して接着する方法及び、接着剤を塗布した軸部材に繊維を巻き付ける方法のいずれの方法によっても良い。
同様に、繊維を軸部材に巻き付けた後に加熱して熱接着（加熱融着）してもよく、加熱した繊維を巻き付ける方法によっても良い。
ブラシ毛繊維を軸部材に所要回数巻き付ける毎に巻付け具を介して軸部材に巻き付ける行為を繰り返す方法によっても良い（図２参照）。
【００１０】
本発明において使用するブラシ毛用の繊維（ブラシ毛繊維）は、ブラシ毛としたときに十分な面積を有する円形ないしは楕円形等の輪を形成し得るものが使用される。例えば、ポリアミド（ナイロンなど）、ポリエステル、ポリエチレン、ポリプロピレン等のプラスチックの繊維や、ステンレススチール等の金属繊維などの弾力性や保形性のある繊維が使用される。
【００１１】
前記繊維を巻き付けた繊維付き軸部材を用いたブラシの製造は、繊維付き軸部材とブラシ毛繊維巻付け具（以下、単に巻付け具という。）とを対にして、両者にブラシ毛繊維を所定の間隔で巻き付ける方法によって行う。繊維付き軸部材への巻き付けは、巻付け繊維と巻付け繊維との間にブラシ毛繊維が位置するように巻き付けるとよい。
巻き付けたブラシ毛繊維の軸部材への固定は、軸部材の繊維の間に挟持されたままとするか、又は更に接着剤で固定するようにしても良い。
ブラシ毛を所定数巻き付けたのち巻き付け具を除去し、輪状のブラシ毛の付いた軸部材を同様にして作成したブラシ毛付き軸部材とあわせて捻りブラシ毛付き軸とする。または、一本の輪状のブラシ毛付き軸部材を折り曲げて重ねて捻ってブラシ毛付き軸とする。
得られたブラシ毛付き軸には、常法にしたがって、柄（持ち手）などを付けて製品とする。
【実施例】
【００１２】
以下本発明の実施例を図面にしたがって説明するが、本発明はこれらに限定されるものではない。
図１は、本発明の基本的な方法を示す模式図である。図中、11は軸部材（針金）で、ＡとＢは軸部材11に巻き付けられた巻付け繊維を示し、Ｃはブラシ毛繊維を示す。巻付け繊維Ａ、Ｂは予め軸部材11に所定の間隔で巻き付けられていて、ブラシ毛繊維Ｃは軸部材11上では巻付け繊維Ａ、Ｂの間に位置させて巻付け具３に巻き付ける工程を順次繰り返して軸部材11に輪状のブラシ毛を作る。
例えば繊維Ａとして緑色のナイロン糸、繊維Ｂとして黒色のナイロン糸などとすることができ、ＡとＢで太さの異なるものとすることができる。
【００１３】
図１は、巻付け繊維Ａ、Ｂがブラシ毛繊維Ｃと異なる場合であるが、図２はブラシ毛繊維Ｃ（２）のみを用いた例である。ブラシ毛繊維Ｃを所定回数軸部材11に巻き付けたのち巻付け具３に巻付ける工程を繰り返す方法を示す。この方法によれば、繊維を変える必要が無く、また巻付け間隔の調整も容易であるという利点を有する。
【００１４】
図３は、軸部材11にブラシ毛繊維２を保持させる方法の一例を示す。
図３（Ａ）は巻付け繊維２（前記Ａ、Ｂ）軸部材11を示す。図３（Ｂ）は軸部材11に繊維２を巻き付けた繊維付き軸部材１を示す。このようにして得た繊維２付き軸部材１を巻付け具４とあわせ（図３（Ｃ））、図３（Ｄ）に示すように軸部材１と巻付け具４にブラシ毛繊維３を巻き付ける。巻付け終了後、巻付け具４を除去して、図３（Ｅ）に示すように、同様にして得た他のブラシ毛繊維付き軸部材とあわせて捻り、ブラシ毛付きブラシ軸１Ａとする。
図４はブラシ毛付きブラシ軸１Ａの模式図である。３は輪状のブラシ毛を示す。図５は柄（持ち手）５を付けた製品ブラシとしての一例を示す。
【００１５】
図６（Ａ）は、巻付け具４と繊維付き軸部材１（以下、単に軸部材１という）を適当な間隔で保持してブラシ毛繊維３を巻付け具４と軸部材１に螺旋状に掛け渡して巻付けた例を示す。図６（Ｂ）に示すように軸部材１を折り曲げて軸部材１同士を撚り合わせるなどによって容易に輪状のブラシ毛付きブラシ軸を作ることができる。
【００１６】
図７は、図６（Ａ）の如くして作成したブラシ毛繊維３付き軸部材１を互いに合わせてブラシを作成する例である。図７（Ａ）は軸部材１を２本合わせる例であり、（Ｂ）は３本合わせる例である。この方法によれば、一方の軸部材に巻付けるブラシ毛繊維と他方の軸部材のブラシ毛繊維とを異なるものとすることもできる。例えば、太い繊維と細い繊維、硬い繊維とそれよりも柔らかい繊維、マスカラ墨の付着の程度の異なる繊維など、任意に選択して用いることができる。
【産業上の利用可能性】
【００１７】
本発明によれば、輪状のブラシ毛を任意の間隔でブラシ軸に設けることができ、ブラシ毛の植設密度も容易に調節できる。また軸部材に巻付ける巻付け繊維の太さ等を組み合わせて用いることによって、ブラシ毛の輪の向く方向を調整することもできる。ブラシ毛繊維を耐熱性の繊維とし巻付け繊維を熱軟化性繊維とすることによって、軸部材同士を合わせて捻るときに加熱して巻付け繊維によって起こる段差などを均質化することもできる。更に、軸部材を細くして、巻付け繊維で軸強度を補強することによって弾力性のあるブラシ軸とすることもできる。
上記のことから本発明は、マスカラブラシに限らず種々のブラシの製造に適用できる。
【図面の簡単な説明】
【００１８】
【図１】本発明の製法の一例を示す模式図である。
【図２】本発明の製法の他の例を示す模式図である。
【図３】ブラシの製造工程を示す図である。
【図４】本発明のブラシの一例を示す模式図である。
【図５】本発明のブラシの一例を示す側面図である。
【図６】ブラシ毛をブラシ軸に固定する方法の一例を示す模式図である。
【図７】本発明の別の製法を示す模式図である。
【図８】輪状のブラシ毛を有するブラシの一例を示す模式図である。
【符号の説明】
【００１９】
１  巻付け繊維付き軸部材
１１  軸部材
２  巻付け繊維、
３  ブラシ毛繊維、
４  巻付け具
【図１】
2007260276.tif 000003
【図２】
2007260276.tif 000004
【図３】
2007260276.tif 000005
【図４】
2007260276.tif 000006
【図５】
2007260276.tif 000007
【図６】
2007260276.tif 000008
【図７】
2007260276.tif 000009
【図８】
2007260276.tif 000010
【手続補正書】
【提出日】平成19年3月12日(2007.3.12)
【手続補正１】
【補正対象書類名】特許請求の範囲
【補正対象項目名】全文
【補正方法】変更
【補正の内容】
【特許請求の範囲】
【請求項１】
輪状のブラシ毛となり得る弾力性ないし保形性のあるブラシ毛繊維をブラシ軸に保持させるにあたり、針金等のブラシの軸部材に所要の太さの繊維を所要数巻き付け、この繊維を巻き付けた軸部材と所要の太さのブラシ毛繊維巻付け具とを合わせて、この合わせた軸部材と巻付け具に軸部材に巻き付けた繊維の所要の巻付け回数毎となるようにブラシ毛繊維を所要回数巻き付け、その後、巻付け具を除いて輪状のブラシ毛繊維付き軸部材を作成し、同様にして得たブラシ毛繊維付き軸部材と併せて捻るなどによって、輪状のブラシ毛をブラシ軸に保持させることを特徴とするマスカラ等のブラシの製造方法。
【請求項２】
輪状のブラシ毛となり得る弾力性ないし保形性のあるブラシ毛繊維をブラシ軸に保持させるにあたり、ブラシの軸部材と所要の太さのブラシ毛繊維巻付け具を並置し、ブラシ毛繊維を軸部材に所要回数巻き付けた後にブラシ毛繊維を前記巻付け具に掛け渡して輪状のブラシ毛を作る操作を所要回数繰り返すことによってブラシ毛繊維を巻き付け、その後、巻付け具を除いて輪状のブラシ毛繊維付き軸部材を作成し、同様にして得たブラシ毛繊維付き軸部材と併せて捻るなどによって、輪状のブラシ毛をブラシ軸に保持させることを特徴とするマスカラ等のブラシの製造方法。
【請求項３】
長いブラシ毛繊維付き軸部材を二つ折して捻り合わせることを特徴とする請求項１又は２に記載のブラシの製造方法。
【請求項４】
軸部材に巻付けた繊維を接着剤で固定するか又は繊維を加熱融着させることを特徴とする請求項１又は２に記載のブラシの製造方法。
【請求項５】
請求項１ないし４記載の製造方法によって得られるマスカラ等のブラシ。
【手続補正書】
【提出日】平成19年6月29日(2007.6.29)
【手続補正１】
【補正対象書類名】特許請求の範囲
【補正対象項目名】全文
【補正方法】変更
【補正の内容】
【特許請求の範囲】
【請求項１】
輪状のブラシ毛となり得る弾力性ないし保形性のあるブラシ毛繊維をブラシ軸に保持させるにあたり、ブラシの軸部材と所要の太さのブラシ毛繊維巻付け具を並置し、ブラシ毛繊維を軸部材に所要回数巻き付けた後にブラシ毛繊維を前記巻付け具に掛け渡して輪状のブラシ毛を作る操作を所要回数繰り返すことによってブラシ毛繊維を巻き付け、その後、巻付け具を除いて輪状のブラシ毛繊維付き軸部材を作成し、同様にして得たブラシ毛繊維付き軸部材と併せて捻ることによって、輪状のブラシ毛をブラシ軸に保持させることを特徴とするマスカラ等のブラシの製造方法。
【請求項２】
長いブラシ毛繊維付き軸部材を二つ折して捻り合わせることを特徴とする請求項１に記載のブラシの製造方法。
【請求項３】
軸部材に巻付けた繊維を接着剤で固定するか又は繊維を加熱融着させることを特徴とする請求項１に記載のブラシの製造方法。
【請求項４】
請求項１ないし３記載の製造方法によって得られるマスカラ等のブラシ。